(57)【要約】スライダ支持アセンブリ（２０）は、磁気ディスク（８）の上に伸張する支持アーム（２）を含む。スライダ（４）は、データ・ヘッド（１２）を含み、前記支持アームに搭載される。前記スライダは、有効ロール軸（４４）に関して放射方向に向いたロール平面（１８）において旋回することができるように、搭載される。前記有効ロール軸は、通常はスライダの下に、好ましくは前記ディスクのおよそ中間に、中心に配置される。前記有効ロール軸をデータ面の上の位置から、従来のジンバル式スライダ支持に見られるように、前記データ面の下の点に動かすことによって、前記データ面の揺れによる前記データ面と相対した前記スライダの旋回放射方向動作は、減少し又は排除される。これは、回転中の前記ディスクの揺れ又は他のずれによって生じる前記データ・ヘッドとデータ・トラックとの間のトラック位置合わせ不良を防止することを支援する。
2004500672.tif 000002
【特許請求の範囲】
【請求項１】
複数の放射方向に離れて配置されたデータ・トラック（ｄａｔａ ｔｒａｃｋ）を有するデータ面を有する回転データ基板とともに使用するためのスライダ支持アセンブリであって：
データ基板の上に伸張可能である支持アームと；
データ・ヘッドを具備するスライダと；
前記デーダ面のデータ・トラックに合わせて位置合わせすることができる前記データ・ヘッドとともに、前記回転データ基板のデータ面に対して前記スライダを旋回軸上に（ｐｉｖｏｔａｌｌｙ）支持するための手段と；及び
前記スライダに位置合わせされ、及び前記データ基板内に位置合わせされた有効ロール軸（ｒｏｌｌ ａｘｉｓ）に関して通常は放射方向に向いている平面における旋回動作のために、前記支持アームに、前記スライダを旋回軸上に搭載するための手段を具備する前記旋回軸上支持手段と；
を具備し、
それによって、前記データ面の傾斜動作によって、前記スライダ及び前記データ面の相対的放射方向の動作が減少する
ことを特徴とするスライダ支持アセンブリ。
【請求項２】
前記支持アームは、通常は放射方向に伸張する支持アームであることを特徴とする請求項１に記載のアセンブリ。
【請求項３】
前記スライダは、エア・ベアリング・スライダであることを特徴とする請求項１に記載のアセンブリ。
【請求項４】
前記旋回軸上搭載手段は：
第一及び第二のリンクであって、前記リンクの各々は、前記アーム及びスライダに有効に旋回軸上に搭載されたアーム及びスライダ端部をそれぞれ有する前記リンクと；
前記通常は放射方向に向いた平面に対する平行な動きのために搭載された前記リンクと；及び
前記リンクが前記スライダから前記支持アームに向かって伸張すると、互いから分岐する前記リンクと
を具備することを特徴とする請求項１に記載のアセンブリ。
【請求項５】
前記旋回軸上搭載手段は、円弧に沿って配置されるベアリング手段を具備し、前記円弧は前記有効ロール軸に中心を有することを特徴とする請求項１に記載のアセンブリ。
【請求項６】
前記支持アームは、通常は接線方向に伸張する（ｔａｎｇｅｎｔｉａｌｌｙ−ｅｘｔｅｎｄｉｎｇ）支持アームであることを特徴とする請求項１に記載のアセンブリ。
【請求項７】
さらにアクチュエータを具備し、及び前記旋回軸上搭載手段は、前記有効ロール軸に関する回転動作ために、前記支持アームを前記アクチュエータに回転するように搭載するための手段を具備することを特徴とする請求項６に記載のアセンブリ。
【請求項８】
前記リンクは、硬質の部材であることを特徴とする請求項１に記載のアセンブリ。
【請求項９】
前記有効ロール軸は、通常は前記データ基板内において中心に配置されることを特徴とする請求項１に記載のアセンブリ。
【請求項１０】
複数の放射方向に離れて配置されたデータ・トラックを有するデータ面を有する回転磁気ディスクとともに使用するためのスライダ支持アセンブリであって；
データ基板の上に伸張可能である支持アームと；
データ・ヘッドを具備し、台形サスペンションによって前記アームに搭載されたスライダであって、前記台形サスペンションは：
第一の及び第二のリンクであって、前記リンクの各々は、前記アーム及びスライダに有効に旋回軸上に搭載されたアーム及びスライダ端部をそれぞれ有する前記リンクと；
通常は放射方向に向いている平面に対する平行な動作のために搭載された前記リンクと；及び
前記リンクが前記スライダから前記支持アームに向かって伸張すると、
互いから分岐する前記リンクとを具備することを特徴とする前記スライダ
とを具備し、
それによって、前記台形サスペンションは、前記データ面のデータ・トラックに位置合わせされた前記データ・ヘッドを有する回転磁気ディスクのデータ面に対して、前記スライダを旋回軸上に支持し；
前記リンクは、傾斜するディスクの動作によって、前記スライダが有効ロール軸に関して前記通常は放射方向に向いた平面においておいて動くような大きさ、位置及び向きになっており、前記有効ロール軸は、前記スライダに位置合わせされ及び前記データ基板の中に配置されており；
それによって前記傾斜ディスクの動作による前記スライダ及び前記データ面の相対的放射方向への動作は、減少する
ことを特徴とするスライダ支持アセンブリ。
【請求項１１】
データ・ヘッドを具備するスライダを、前記データ面上のデータ・トラックに位置合わせされた前記データ・ヘッドを有する回転データ基板のデータ面に配置する段階と；及び
前記ロール平面は、通常は前記データ・トラックに対して垂直に、通常放射方向に向いており、前記有効ロール軸は、前記データ基板の中に配置されている場合に、少なくとも有効ロール軸に関するロール平面における旋回動作のために前記スライダを旋回軸上に搭載することによって、前記データ基盤の傾斜動作を吸収する段階と
を具備し、
前記ロール平面における前記スライダ及び前記デーダ面の相対的な滑る動作は、少なくとも、前記データ・ヘッドを前記データ・トラックに位置合わせされた状態で維持することを支援するように減少すること
を特徴とする、回転データ基板のデータ面に沿って、スライダを支持するための方法。
【請求項１２】
前記旋回軸上搭載段階は、通常台形サスペンションを使用して実行されることを特徴とする請求項１１に記載の方法。
【請求項１３】
前記旋回軸上搭載段階は、前記スライダを、台形に配列された支持アームに接続する第一の及び第二のリンクを使用して実行されることを特徴とする請求項１１に記載の方法。
【請求項１４】
前記旋回軸上搭載段階は、前記スライダが搭載される支持アームを、前記支持アームが前記有効ロール軸に関して回転できるように、アクチュエータに回転するように搭載することによって実行されることを特徴とする請求項１１に記載の方法。
【請求項１５】
前記旋回軸上搭載段階は、前記有効ロール軸に中心を有する円弧に沿って配置されたベアリング・エレメントを使用して実行されることを特徴とする請求項１１に記載の方法。
【発明の詳細な説明】
【０００１】
（技術分野）
本発明は磁気ディスク・ドライブのためのスライダ支持アセンブリ及び方法に関する。
【０００２】
（背景技術）
データは一般的には、回転磁気ディスクから読み取られ、及び回転磁気ディスクに書き込まれる。前記ディスクは一般的には、一連の近接して配置された、同心のデータ・トラックを有する。スライダは、データ・ヘッドを含んでおり、前記スライダを前記ディスクの前記データ面に向かって偏らせる支持アームに搭載される。前記スライダは一般的には、エア・ベアリング・スライダであり、及びエアの薄いフィルムによって、前記ディスクの前記回転データ面のすぐ上に支持される。アクチュエータは、前記スライダが所望のデータ・トラックに位置合わせされるために割り出し（ｉｎｄｅｘｅｄ）されるように、前記支持アームを増大して動かす。
【０００３】
前記データ面の動きによって生じる小さな傾斜変形と同様に、前記データ面と相対して前記スライダ面における小さい製造上の偏りを吸収するために、前記スライダは一般的には、ジンバル式配列を通して前記支持アームに搭載される。この前記支持アームへの前記スライダのジンバル式搭載によって、前記スライダは、放射方向に向いた平面における接線方向に向いた軸に関して旋回し、前記旋回動作は通常ロール（ｒｏｌｌ）と称され、及び接線方向の平面において放射方向に向いた軸に関して旋回し、前記動作は一般的にはピッチ（ｐｉｔｃｈ）と称される。この動作は、図１に図示されている。
【０００４】
ハード・ディスク・ドライブの製造に関連する一つの問題は、同じ大きさのディスク上により多くの情報を得るための努力において、前記データ・トラックは、近接して配置されているということである。現在は、ハード・ディスクは一般的には、１インチにつき約４，０００乃至１０，０００トラック（１センチ・メートルにつき約１５７５乃至３９００トラック）を有し；１インチにつき約２５，０００トラック（１センチ・メートルにつき約９８００トラック）以上のトラック密度が検討されており、将来は、さらに高い密度が期待される。これらのより高いトラック密度及び高い回転速度が組み合わされて、前記データ・トラックへの前記データ・ヘッドの位置決め不良の問題が増加する。このディスク位置決め不良問題に関して議論しているある記事は以下のように述べている：「現在の高性能ディスク・ドライブは、６，０００ＴＰＩ、すなわちトラック間に１６６マイクロ・インチに迫るトラック密度を有する。ヘッド配置サーボ・システムは、トラックの中心の１２パーセント以内に読み取り／書き込みエレメントを維持しなければならず、それは前記ヘッドとディスクの間の相対的放射方向変位は、わずか２０マイクロ・インチでなければならないことを意味する。これらの高いトラック密度においては、形式的には無視できた影響が、今では、３．５インチ・ディスク・ドライブにおけるトラック位置決め不良（ｔｒａｃｋ ｍｉｓｒｅｇｉｓｔｒａｔｉｏｎ（ＴＭＲ））に大いに寄与している。」（「３．５インチ・ディスク・ドライブにおけるトラック位置決め不良に関するディスク・プラッタ共鳴の影響（Ｔｈｅ Ｅｆｆｅｃｔ ｏｆ Ｄｉｓｋ Ｐｌａｔｔｅｒ Ｒｅｓｏｎａｎｃｅｓ ｏｎ Ｔｒａｃｋ Ｍｉｓｒｅｇｉｓｔｒａｔｉｏｎ ｉｎ ３．５ Ｉｎｃｈ Ｄｉｓｋ Ｄｒｉｖｅｓ）」ＩＥＥＥトランザクション・マグネティクス（ＩＥＥＥ Ｔｒａｎｓａｃｔｉｏｎ Ｍａｇｎｅｔｉｃｓ）、第３２巻、第３号、１９９６年５月、１７６２頁乃至１７６６頁）。１インチにつき１０，０００乃至２５，０００トラックの範囲へと向かうトラック密度によって、トラック位置決め不良問題は、より深刻になる。
【０００５】
ディスクは、固有の振動モードを有し、各々は  特定の共鳴振動数によって特徴付けられる。これらの振動数においては、前記ディスクの動きはより小さい励振（ｅｘｃｉｔａｔｉｏｎ）への共鳴反応によって、増幅されるであろう。稼動励振（ｄｒｉｖｉｎｇ ｅｘｃｉｔａｔｉｏｎｓ）は、特に高い回転数において、ディスク面を横切る空気の流れにおける空気力学的不安定性と同様に、不完全なベアリング及びモータによって生成されうる。これらの振動は前記面に対して垂直方向への、前記ディスクの外側の領域の動きによって、大変容易に特徴づけられるが、前記ディスクが内側半径に留められるので、この動きは、必ず前記ディスク面の傾斜を生む。前記ディスクの中立平面は、厚みの中間にあり、あらゆる有効な範囲で、放射方向に動かないことが示される。前記ディスクの有限の厚さによって、前記傾斜は、前記スライダ面及び前記ディスク面が、傾斜の感知に従って、反対の放射方向に動かなければならないことを要求する。最新のドライブでは、これらの放射方向の動作は、前記ヘッドを前記データ・トラックの中心に維持するために、ドライブ・サーボの能力に挑むのに充分大きく、及び充分高振動である。
【０００６】
（発明の開示）
本発明は、ディスクがディスク振動に応答して傾斜するにつれときに、データ面と相対してスライダが放射方向に動くのを防止し、少なくとも最小限にすることを支援する前記スライダを支持するためのスライダ支持アセンブリ及び方法に向けられている。
【０００７】
本発明は、ジンバル式スライダは、前記データ・トラック及びスライダの相対的動作に寄与することを認識する。前記エア・ベアリングの剛性は、前記スライダが、前記ディスクの傾斜動作を追うことを確実にする。従来のスライダ・サスペンションにおいては、前記スライダは、スライダの上表面に又はその上に配置された軸に関して回転するように設計されているので、この回転は、トラックの変位のそれとは反対の方向に、前記データ面を横切ったヘッドの放射方向平行移動（ｒａｄｉａｌ ｔｒａｎｓｌａｔｉｏｎ）を生じる。このように、それは位置合わせ不良を増加させる。前記ディスクの前記問題への寄与に関しては、何もすることができない。しかしながら、このトラック動作の影響は、前記スライダ・サスペンションが、傾斜に対する前記スライダの応答を、トラックのそれと適合させ、及びそれによってヘッド／トラックの相対的動作を排除し又は最小限にするという方法で再構成させることができる場合に、最小限にすることができる。本発明は、前記スライダのロール軸を、前記ディスクのロール軸と合致するように、前記ディスクの中心平面に配置することによって、この目的の達成に備える。
【０００８】
前記スライダ支持アセンブリは、基盤、一般的には磁気ディスクのデータ面の上に伸張する支持アームを含む。スライダは、データ・ヘッドを含み、前記支持アームに搭載される。前記スライダは、前記スライダが、前記ディスクの中に配置された有効ロール軸に関して放射方向に向いた平面において旋回することができるように搭載される。
【０００９】
有効ロール軸は、一般的には、前記スライダの下に中心に配置され、好ましくは前記ディスクの中間で、中心に通常配置される。前記有効ロール軸を前記データ面の上の配置から、従来のジンバルイ式スライダ支持に見られるように、前記データ面の下の点へ動かすことによって、前記データ面の傾斜による前記データ面と相対した前記スライダの旋回放射方向動作は、減少するか又は排除される。
【００１０】
本発明の方法の特徴に従って、前記スライダは、前記データ・ヘッドがデータ・トラックに位置合わせされるように、前記スライダを配置することによって、回転ディスクのデータ面に沿って支持される。前記データ面の傾斜動作は、有効ロール軸に関するロール平面における旋回動作のために前記スライダを搭載することによって、吸収される。前記ロール平面は、通常は前記データ・トラックに対して垂直に、すなわち通常放射方向の方向に向いている。前記有効ロール軸は、ロール平面に対して垂直に向いており、及びディスク内に、好ましくは前記ディスクの中間で中心に通常配置される。
【００１１】
本明細書で使用されているように、放射方向及び接線方向は、前記データ・トラックによって定義されるそれらの方向を表す。また、データ面の上及び下という用語は、前記データ基板が通常水平であり、及び前記データ面が上の面である場合、これらの方向を表す。しかしながらこれらの用語は、他の状況、例えば前記データ基板が４５度の角度であったり、前記データ面が通常に下に向いていたりする場合を網羅する意図である；この場合前記データ面の「上」は、実際は下を向いており、データ面から離れている。
【００１２】
本発明の第一の効果は、特に回転ディスクの外縁近くでの前記データ基板の揺れ又は他のずれは、（１）ディスクの中心から測定して大変小さい角距（ａｎｇｕｌａｒ ｄｉｓｔａｎｃｅ）を伴い、及び（２）前記スライダの下の中心の位置に関した前記ディスクのねじれとして考えられ、及び通常は前記ディスクの本体内部の中心に配置されることができる、という認識である。それゆえに、その有効ロール軸が前記ディスク、又は他の基盤、及び好ましくは前記ディスクの中間を通過するように、前記スライダを旋回軸上に搭載することによって、ディスク傾斜による相対的放射方向の滑る動作は、最小限又は排除されることができる。
【００１３】
放射方向に向いたロール平面におけるこの旋回搭載は、好ましくは前記スライダを前記支持アームに搭載するための旋回軸搭載構造を使用して供給される。この旋回軸搭載構造は、好ましくは台形サスペンションを使用する。ある実施形態においては、一組のリンクが、前記スライダから前記支持アームの遠位端部に伸張する。前記リンクは、それらの端部の各々に旋回軸上搭載され、又はそれらの端部の各々にある柔軟性のある又は伸縮性のあるカップリングによって、又は前記カップリングを通して有効に旋回軸上搭載される。前記リンクは、前記スライダから前記支持アームに伸張するときに、互いから離れて外側に分岐する。前記スライダの有効ロール軸は、前記ディスクの本体部の中、及び好ましくは前記ディスクの本体部の中間に存在するように、前記リンクの長さ及び方向は設計されている。前記台形サスペンションを伴って、前記支持アームは、通常は放射方向に伸びる支持アームである；前記指示アームは他の方向、例えば前記データ・トラックに対して接線方向に伸張する。
【００１４】
前記スライダのための旋回軸上搭載構造の他の実施形態は、前記支持アームの近位端部を前記アクチュエータに回転するように搭載することによって供給される。前記支持アームのこの回転搭載によって、前記支持アームは、支持アーム軸に関して旋回することができ、前記支持アーム軸は好ましくは、前記ディスクの厚さの中間の前記スライダの下の中心に配置された点を通過する。この場合、前記スライダの前記有効ロール軸は、前記支持アーム軸によって定義され、及び前記ディスクが揺れを受けるときに前記データ・ヘッドをデータ・トラックに位置合わせされたままで維持するのを支援するために、従来のとおり前記ディスクのデータ面の上に配置されるよりもむしろ、前記ディスクの本体部のおよそ中間に配置される。
【００１５】
前記ロール軸は、有効ロール軸として記載されてきた。これは、前記スライダの実際のロール軸の前記位置は、例えば前記リンクが旋回するときに移動し、又は動いてもよいからである。すなわち、使用中に前記スライダは、そのロール軸に対する位置の範囲を定義してもよく、すべては平均の又は有効なロール軸から短い距離である。前記データ構造のずれは小さいので、実際のロール軸の位置の変更は小さい。それゆえに、このロール軸の範囲は、有効ロール軸として特徴付けられる。
【００１６】
他の特徴及び効果は、開示された実施形態が、添付の図面を参照して詳細に説明されている以下の説明から明らかになるであろう。
（発明を実施するための最良の形態）
図１は、回転ディスク８のデータ面６の上でエア・ベアリング・スライダ４を支持する従来の支持アーム２を示す。ディスク８は、一連の近接して配置されたデータ・トラック１０、例えばラジアル・インチ当たり６，０００のトラック１０を有する。スライダ４は、矢印１３の方向への、図１には記載されていないアクチュエータによる支持アーム２の放射方向の動作を通して、データ・トラック１０の選択された一つに位置合わせすることができるデータ・ヘッド１２を有する。
【００１７】
図２Ａは、図１に記載の２Ａ−２Ａの線を参照した従来のディスク及びスライダの簡略化された拡大図であり、スライダ４の上に配置された旋回点１６を有するジンバル式スライダ支持１４を示す。ジンバル式支持１４は、接線方向に向いたピッチ平面１９におけるのと同様に、放射方向に向いたロール平面１８における旋回動作に備える。
図２Ｂは、ディスク８がディスクの揺れによってずれた後の図２Ａに記載のエレメントを示す；前記ずれは、図示の目的で誇張されている。図２Ａ及び２Ｂと比較して、スライダ４は旋回点１６の回りを旋回したので、データ・トラック１０及びデータ・ヘッド１２は、放射方向に互いに相対して滑る、すなわち、ロール平面１８においては、データ・ヘッド１２は左に動き、及びデータ・トラック１０は、右に動くことがわかる。データ・ヘッド１２及びデータ・トラック１０は、もう位置合わせはされず、トラック位置決め不良を生じる。
【００１８】
図３は、本発明に従って作られたスライダ支持アセンブリ２０を示す。同様のエレメントが同様の参照番号で参照されるように、支持アセンブリ２０は、図１乃至２Ｂに記載の同じエレメントの多くを有する。支持アーム２の近位端部２２は、スライダ４を有する支持アーム２の遠位端部２６を割り出しする（ｉｎｄｅｘ）アクチュエータから、矢印２８によって示されたように異なる放射方向の位置へと伸張する。放射方向に伸びた支持アーム２は、異なる方向、例えば図１においては接線方向に向かっていてもよい。
【００１９】
図４Ａ及び２Ａを比較すると、ジンバル式スライダ支持１４は、ロール軸に関する旋回動作のために、台形サスペンション３０に交換されたことがわかる。台形サスペンション３０は、低端部３６、３８でスライダ４に、及び上端部４０、４２で支持アーム２の遠位端部２６に固定された一組のリンク３２、３４を含む。スライダ４及び支持アーム２との端部３６、３８、４０、４２の接続は、有効な旋回接続点である。すなわち、これらの接続は、本来の旋回接続となり、又は例えば旋回接続として有効に機能する伸縮性接続となりうる。台形サスペンション３０は、スライダ４がロール平面１８で旋回することができるようにするために使用される。一般的な従来技術では、図示されていないが他の搭載構造が、ピッチ平面１９における動作のために、支持アーム２へのスライダ４の旋回軸搭載に備えるために使用されることができる。
【００２０】
リンク３２、３４の長さ及び方向は、基本的にはスライダ４の下に、及びディスク８の厚さのおよそ中間に配置された有効ロール軸４４を供給する。すなわち、スライダ４の小さなロール動作（ロール平面１８における旋回動作）のために、ロール軸４４は通常はディスク８の中で中心に配置されたままである。それゆえに、ディスク８がずれると、スライダ４はディスクとともに動き、ロール平面１８に沿ったわずかな相対的な滑る動作を受ける。これは、スライダ４及びディスク８が図４Ａに記載の構成から図４Ｂに記載の構成へと動くときに、データ・ヘッド１２及びデータ・トラック１０が位置合わせされたままであるという事実によって示される。
【００２１】
リンク３２、３４の長さ、場所、角度及び構成が、ロール軸４４の場所を決定する。図４Ａ及び４Ｂに記載のディスク８の動作によって、ロール軸４４の場所が移動する一方で、前記有効ロール軸の場所が固定されているとみなされることができるよう、前記移動の量は少ない。
【００２２】
図５Ａは、リンク３２、３４の上端部４０、４２が互いに近づくように、しかしリンク３２、３４が平行にはなるほどには近くなく動いた場合に、ロール軸４４に何が発生するかを示している。この場合におけるロール軸４４の場所は、矢印４６の方向、すなわちスライダ４から遠く離れる方向に動く。
図５Ｂは、リンク３２、３４が互いに平行にされた場合に、旋回点が有効に無限遠になるように、サスペンション３０は平行四辺形サスペンションになるという事実を示す。すなわち、旋回もロールもない。図５Ｃは、上端部４０、４２が下端部３６、３８よりも互いに近くなるようにするための、矢印の方向へのリンク３２、３４の継続する旋回動作の結果を示す。これによって、ロール軸４４はスライダ４に向かって動き、例においては、支持アーム２の上に静止する。
【００２３】
図６は、大幅に図式化された形態で、支持アーム２ａが、図１に記載の支持アームの方向に類似した、接線方向に向いた支持アームである本発明の他の実施形態を示す。支持アーム２ａの近位端部２２ａは、ロール軸４４ａに関する相対的に自由な回転動作のために、アクチュエータ２４ａに回転搭載される。ロール軸４４ａは、通常はスライダ４の下に、及びディスク８の厚さの中間に配置された点５０を通過する。それをすることによって、スライダ４は、図４Ａ及び４Ｂに記載されたとおり、データ・トラック１０のデータ・ヘッド１２への位置合わせを維持することを支援するために、ロール平面１８ａにおいてロールし又は旋回する。ロール軸４４ａ及びロール平面１８ａの角度は、図示の目的で誇張されていたことが理解される。
【００２４】
スライダ４は、図７に記載されたとおり、支持アーム２ａの遠位端部２６へと搭載されることができる。支持アーム２ａは、スライダ４ａによって運ばれる複数の低摩擦ベアリング５４とかみ合う半球面５２を有する。面５２は、その中心が、ディスク８の中の中心に配置されたロール軸４４と一致するような大きさである。ベアリング５４は、大変短いスペーサ・リンク（ｓｐａｃｅｒ ｌｉｎｋ）によって交換されることができる；大変小さい動きが関与するために、短いスペーサ・リンクは、スライダ４ａがロール軸４４に関して旋回するようにするベアリング５４に類似して作用する。
【００２５】
本発明は、特に磁気ディスクとの使用のために適応する。しかしながら、本発明は他のデータ記録装置及び検索技術とも使用することができる。例えば、本発明はソリッド・イマージョン・レンズ記録（ｓｏｌｉｄ ｉｍｍｅｒｓｉｏｎ ｌｅｎｓ ｒｅｃｏｒｄｉｎｇ）と呼ばれる、一種の磁気光学記録技術とともに使用されることができる。カリフォルニア州、サンホセのテラスタ・コーポレーション（ＴｅｒａＳｔａｒ Ｃｏｒｐｏｒａｔｉｏｎ）は、ソリッド・イマージョン・レンズ含む光学エレメントを有する浮遊光学ヘッドを使用する新しい分野の記録技術を開発してきた。本発明は、回転ディスク上のデータ・トラックへの、レンズの適切な位置合わせを確実にするための支援をする。この場合、前記レンズはデータ・ヘッドとして作用する。
【００２６】
添付の請求の範囲において定義された本発明の主旨から逸脱することなく、開示された実施形態に他の変更及び変形がなされることができる。
【図面の簡単な説明】
【図１】
図１は、ジンバル式スライダ支持を通って接線方向に向いた支持アームの遠位端部へと搭載された従来のエア・ベアリングを示し、前記図は、放射方向に向いたロール平面における、及び接線方向に向いたピッチ平面における前記スライダの旋回動作を示す。
【図２Ａ】
図２Ａは、前記ディスクのトラックに適切に向いているヘッドを有する従来のジンバル式スライダを図示する。
【図２Ｂ】
図２Ｂは、前記ヘッドが前記トラックに対して位置合わせ不良になるように、ディスクの揺れによって、前記ディスクが有効に傾斜するようにし、前記トラックの右への動きと及び前記ヘッドの左への動きを生じさせた後の、図２Ａに記載の前記スライダ及びディスクを示す。
【図３】
図３は、本発明に従って、放射方向に向いた支持アームを使用して作られたスライダ支持アセンブリを、簡略化した形態で示す。
【図４Ａ】
図４Ａは、図３の４Ａ−４Ａの線を参照した、前記位置合わせされたデータ・ヘッド及びデータ・トラックを有する前記ディスクの前記データ面に隣接した前記スライダを支持する台形サスペンションを示す、前記支持アームの遠位端部、前記スライダ及び前記ディスクの一部の簡略化した側面図である。
【図４Ｂ】
図４Ｂは、前記支持アームに相対して傾斜し、前記台形サスペンションのリンクが旋回するようにするために誇張された形態で前記データ面が示されたが、前記データ・ヘッド及びデータ・トラックは、前記ディスクの本体部の中心を通過する有効ロール軸に関した前記スライダの旋回動作によって、実質的に位置合わせされたままでいることを示す、前記ディスクの揺れの結果を示す。
【図５Ａ】
図５Ａは、それらの上端部が互いに近く、前記ロール軸が図において下方に動くように、前記リンクが内側に旋回するときの、図４Ａ及び４Ｂに記載の有効ロール軸の位置に対する影響を示す。
【図５Ｂ】
図５Ｂは、ロール軸が、この図面においては前記スライダの上に、無限遠に配置されるという結果を生じ、前記二つのリンクが互いに平行である状態を示す。
【図５Ｃ】
図５Ｃは、前記リンクの上端部が互いに向かって動きつづけ、前記ロール軸が前記支持アームに向かって下方に動くようにする影響を示しており、この位置は図２Ａに記載の従来技術のスライダのロール軸位置に類似する。
【図６】
図６は、図１に記載の指示アームに類似して、前記支持アームが接線方向に向いているが、しかし前記支持アームの近位端部は、ロール軸に関する回転動作のために前記アクチュエータに回転搭載される本発明の他の実施形態の簡略化した側面図であり、前記ロール軸は、前記ディスクの厚さのおよそ中間に前記スライダの下に直接配置された点を通過する。
【図７】
図７は、本発明のさらなる実施形態の簡略化した側面図である。
【国際公開パンフレット】
2004500672.tif 000003
2004500672.tif 000004
2004500672.tif 000005
2004500672.tif 000006
2004500672.tif 000007
2004500672.tif 000008
2004500672.tif 000009
2004500672.tif 000010
2004500672.tif 000011
2004500672.tif 000012
2004500672.tif 000013
2004500672.tif 000014
2004500672.tif 000015
2004500672.tif 000016
2004500672.tif 000017
2004500672.tif 000018
2004500672.tif 000019
2004500672.tif 000020
2004500672.tif 000021
2004500672.tif 000022
【国際調査報告】
2004500672.tif 000023